(57)【要約】【課題】圧縮回復性に優れ、走行姿勢の安定したプレスフェルトを提供すること。【解決手段】プレスフェルト１０は、ＭＤ方向糸材２１を具えた基体２０と、基体２０に絡合一体化されたステープルファイバー３０からなるプレスフェルト１０において、ＭＤ方向糸材２１は、一方の方向に撚りが与えられた第１の撚糸２１Ａと、第１の撚糸２１Ａとは逆方向の撚りが与えられた第２の撚糸２１Ｂとからなる。ＭＤ方向糸材を撚糸で構成することで、圧縮回復性の向上を図ることができる。また、その撚糸を、一方の方向に撚りが与えられた第１の撚糸と、第１の撚糸とは逆方向の撚りが与えられた第２の撚糸とで構成することで、フェルトがＭＤ方向に移動するときのＣＭＤ方向へのずれを防ぎ、走行姿勢を安定させることができる。【選択図】        図１
2004256970.tif 000002
【特許請求の範囲】
【請求項１】
ＭＤ方向糸材を具えた基体と、該基体に絡合一体化されたステープルファイバーからなるプレスフェルトにおいて、
前記ＭＤ方向糸材が、一方の方向に撚りが与えられた第１の撚糸と、該第１の撚糸とは逆方向の撚りが与えられた第２の撚糸からなることを特徴とする、
プレスフェルト。
【請求項２】
前記第１の撚糸と前記第２の撚糸が交互に配置されている、請求項１のプレスフェルト。
【請求項３】
前記第１の撚糸と前記第２の撚糸がランダムに配置されている、請求項１のプレスフェルト。
【請求項４】
前記第１の撚糸と前記第２の撚糸が同数配置されている、請求項１から３のいずれかのプレスフェルト。
【請求項５】
第１の撚糸と第２の撚糸が、撚り方向以外は同一構成のものである、請求項１から４のいずれかのプレスフェルト。
【発明の詳細な説明】
【０００１】
【発明の属する技術分野】
本発明はプレスフェルト（以下、単に「フェルト」と記す場合がある。）に関し、特に、圧縮回復性及び走行安定性に優れたプレスフェルトに関する。
【０００２】
【従来の技術】
従来より、抄紙工程又はスレート製造工程のプレスパートにおいては、プレスフェルトを用いて搾水作業が行われている。なお、以下、便宜上、抄紙工程を中心に本発明のプレスフェルトの説明を行う。
図１１により、一般的なフェルト構成を説明する。プレスフェルト１０Ａは無端状に形成されており、基体２０と、基体２０にニードルパンチングで絡合一体化されたステープルファイバー３０とにより構成される。
基体２０は、フェルト１０Ａの機械的強度を発現させるためのもので、図１１においては、ＭＤ方向糸材２１と、ＣＭＤ方向糸材２２とを織成することにより得られた織布が使用されている。
【０００３】
フェルト１０Ａは、前述した通り、抄紙機のプレスパートで使用される。この際、プレスパート内に、複数のガイドロールに張力を掛けられ配置される。そしてフェルト１０Ａは、一対のプレスロール又はプレスロールとシューとにより構成されるプレス部で、湿紙とともに加圧されることにより、湿紙からの水分を搾水する。なお、フェルト１０Ａは、プレスロールの回転に追随して走行する。
【０００４】
ここで、従来より、基体２０のＭＤ方向糸材２１としては、マルチフィラメントやモノフィラメント単糸、紡績糸が使用されてきたが、圧縮回復性の向上等の目的のために、撚糸が採用される場合があった（例えば、特許文献１，２参照。）。
【０００５】
【特許文献１】
特開昭５５−１２８０９７号公報
【特許文献２】
特開平８−２６０３７８号公報
【０００６】
【発明が解決しようとする課題】
しかし、ＭＤ方向糸材２１に撚糸を採用した場合、フェルト１０Ａの走行安定性に問題があった。
この問題点を図１２に基づき説明する。図１２は、ＭＤ方向糸材２１の拡大図である。ＭＤ方向糸材２１は撚糸であるため、当然「撚り」が与えられている。このフェルト１０Ａが走行方向ＭＤに移動した場合、「撚り」により、Ｐ１方向の推進ベクトルが発生し、結果としてベクトルＰ２方向にフェルト１０Ａが移動する虞があった。
このように、ＭＤ方向糸材２１に撚糸を使用したフェルト１０Ａは抄紙機内で蛇行し易いため、抄紙装置の安定した操業が困難となっていた。
【０００７】
本発明は、上述した欠点に鑑み、圧縮回復性に優れ、走行姿勢の安定したプレスフェルトを提供することをその目的とする。
【０００８】
【課題を解決するための手段】
本発明は、ＭＤ方向糸材を具えた基体と、該基体に絡合一体化されたステープルファイバーからなるプレスフェルトにおいて、
前記ＭＤ方向糸材が、一方の方向に撚りが与えられた第１の撚糸と、該第１の撚糸とは逆方向の撚りが与えられた第２の撚糸からなるプレスフェルトによって、前記の課題を解決した。
【０００９】
【作用】
本発明によれば、ＭＤ方向糸材を撚糸で構成することで、圧縮回復性の向上を図ることができる。
また、その撚糸を、一方の方向に撚りが与えられた第１の撚糸と、第１の撚糸とは逆方向の撚りが与えられた第２の撚糸とで構成することで、フェルトがＭＤ方向に移動するときのＣＭＤ方向へのずれを防ぎ、走行姿勢を安定させることができる。
【００１０】
【発明の実施の形態】
本発明の実施の形態を、図１を参照して説明する。
先ず、本発明のプレスフェルト１０は、ＭＤ方向糸材２１を具えた基体２０と、基体２０に絡合一体化されたステープルファイバー３０からなるプレスフェルト１０において、ＭＤ方向糸材２１は、一方の方向に撚りが与えられた第１の撚糸２１Ａと、第１の撚糸２１Ａとは逆方向の撚りが与えられた第２の撚糸２１Ｂとからなる。
【００１１】
ここで、基体２０は、プレスフェルトの機械的強度を発現させるためのものであり、ＭＤ方向糸材２１を有すれば、様々な構成を採用することができる。
すなわち、図２に示される、ＭＤ方向糸材２１と、ＣＭＤ方向糸材２２とを織製することにより得られる織布を採用することができる。
【００１２】
また、図３に示される、特表平６−５０３３８５号に開示された基体２０であっても使用することができる。なお、この図３に示される基体２０は、次の工程により作製される。まず、ＭＤ方向糸材２１と、ＣＭＤ方向糸材２２とにより、完成されるべきフェルトよりも狭い幅を有する織布を作製する。次に、この織布を一対のロール上にスパイラルに巻回し、隣り合う織布縁部同士を接合することにより基体２０を得る。
なお、この基体２０の場合、スパイラルに織布を巻回するため、基体２０のＭＤ方向糸材２１は、実際のＭＤ方向に対して角度を有する。
【００１３】
さらに、特開平６−２８０１８３号に記載された、完成すべきフェルトの幅とほぼ同じ幅を有する、ＭＤ方向糸材とＣＭＤ方向糸材からなる織布を同軸上に巻回することにより得られる基体であってもよい。
もちろん、織布による基体のみならず、例えば、特開平１１−１２４７８７号に開示された、ＭＤ方向糸材を接着剤で固定して得られる基体であってもよい。さらに、ＭＤ方向糸材や、ＣＭＤ方向糸材を織製せずに、単に重ねた構成による基体であってもよい。
【００１４】
なお、本発明の撚糸の具体例を、図４及び図５を参照して説明する。
まず、本発明の撚糸としては、図４に示す、複数本の単糸２１１を束ねて、撚りをかけてなる片撚糸（かたよりいと＝ｓｉｎｇｌｅ  ｔｗｉｓｔ  ｙａｒｎ，  ｔｒａｍ）を使用することができる。
また、図５に示す、２本以上の単糸を引き揃えて撚り（下撚り）を加えた糸材２１３を用意し、この糸材２１３を複数本引き揃えて下撚りと反対方向に撚り（上撚り）をかけてなる諸撚糸（もろよりいと＝ｐｌｉｅｄ  ｙａｒｎ，  ｆｏｌｄｅｄ  ｙａｒｎ）を使用することができる。
なお、片撚糸、諸撚糸の用語は、ＪＩＳの定義による。
【００１５】
また、本発明の「撚りの方向」とは、一般的な撚り方向を示す。すなわち、「一の糸材における撚り方向と、他の糸材における撚り方向が異なる」とは、一の糸材における撚り方向が右回り（Ｓ方向）であり、他の糸材における撚り方向が左回り（Ｚ方向）である状態を指す。
この際、例えば、諸撚糸のように、一本の糸材中に複数の撚り方向を有するものがある。この場合は、撚糸の製造工程における「最終的な撚り方向」を本発明の「撚り方向」とする。すなわち、諸撚糸の場合であれば「上撚」の方向を指す。
【００１６】
そして、本発明のＭＤ方向糸材は、一方の方向に撚りが与えられた第１の撚糸と、第１の撚糸とは逆方向の撚りが与えられた第２の撚糸からなる。
この場合、基体２０において、第１の撚糸と第２の撚糸が、同数配置されるのが理想的である。
一方、第１の撚糸と第２の撚糸が、同数でない場合であっても、混在していれば、所望の目的を或る程度は達成することができる。
【００１７】
なお、ＭＤ方向糸材において、第１の撚糸と第２の撚糸が一定の配列規則に基づき配置されている場合は、より一層の効果を得ることができる。
この場合、糸材の撚り方向による推進力を、隣り合う糸材で互いに打ち消すために、図６に示すように、基体２０の幅方向に亘り、第１の撚糸２１Ａと、第２の撚糸２１Ｂが１本ずつ交互に配置される構成や、図７に示すように、基体２０の幅方向に亘り、第１の撚糸２１Ａと第２の撚糸２１Ｂが２本ずつ交互に配置される構成が望ましい。
【００１８】
また、図８に示すように、基体２０の幅方向において、中心から見た左方向の全てを第１の撚糸２１Ａとし、右方向の全てを第２の撚糸２１Ｂとしてもよい。
この場合、それぞれの幅方向端部側に向かい推進力を発生させ、フェルトの皺伸ばし効果を得るために、第１の撚糸２１Ａの撚り方向をＺ方向、第２の撚糸２１Ｂの撚り方向をＳ方向とすることが望ましい。
【００１９】
一方、図９に示すように、第１の撚糸２１Ａと第２の撚糸２１Ｂがランダムに配置されていてもよい。
【００２０】
なお、第１の撚糸２１Ａと第２の撚糸２１Ｂは、撚り方向が異なるのみで、構成すべき素材や、糸種類、撚り回数等は同一であるものを使用することが、品質を安定させるために好ましい。
しかし、第１の撚糸２１Ａと第２の撚糸２１Ｂが、撚り方向以外にも、異なる構成を有していても、本発明の撚糸として採用することが可能である。
【００２１】
【実施例】
本発明の実施例にあたり、第１の撚糸２１Ａ及び第２の撚糸２１Ｂを用意した。
この際、両撚糸は、基本的には「３／２／３３０」で示される諸撚糸とした。なお、この撚糸の表示形式は「上撚り時における下撚り糸材束本数／下撚り時における単糸束本数／単糸繊度＝ｄｔｅｘ」である。
なお、単糸としても同種のものを採用した。
すなわち、第１及び第２の撚糸２１Ａ，２１Ｂは、撚り方向が異なるのみで、同一の諸撚糸である。
【００２２】
ここで、第１及び第２の撚糸２１Ａ，２１Ｂの詳細な構成は次の通りである。（第１の撚糸２１Ａ）
下撚り：  Ｓ方向  ３１０回／５０インチ
上撚り：  Ｚ方向  ２００回／５０インチ
撚り比（下／上）：  １．５５
【００２３】
（第２の撚糸２１Ｂ）
下撚り：  Ｚ方向  ３１０回／５０インチ
上撚り：  Ｓ方向  ２００回／５０インチ
撚り比（下／上）：  １．５５
【００２４】
この第１の撚糸２１Ａ及び第２の撚糸２１Ｂを使用して、プレスフェルトの基体となるべき織布を織成し、実施例及び比較例とした。
この際、ＣＭＤ方向糸材としては、全ての実施例、比較例に同一のモノフィラメント単糸を使用した。
なお、実施例及び比較例の織布の寸法は、ＣＭＤ方向の長さが１ｍ、ＭＤ方向の長さが１０ｍである。
【００２５】
（実施例１）
織布の組織：  １／１  平織
ＭＤ方向糸材の配列形態：  第１の撚糸２１Ａと第２の撚糸２１Ｂが一本ずつ交互に配置
（実施例２）
織布の組織：  ２／１  平織
ＭＤ方向糸材の配列形態：  第１の撚糸２１Ａと第２の撚糸２１Ｂが２本ずつ交互に配置
（実施例３）
織布の組織：  ７／１，１／７  ＭＤ方向糸材多重織
ＭＤ方向糸材の配列形態：  第１の撚糸２１Ａと第２の撚糸２１Ｂがランダムに配置。但し、基体全体における第１の撚糸２１Ａと第２の撚糸２１Ｂの配置本数は同一。
【００２６】
（比較例１）
織布の組織：  １／１  平織
ＭＤ方向糸材の配列形態：  第１の撚糸２１Ａのみ
（比較例２）
織布の組織：  ２／１  平織
ＭＤ方向糸材の配列形態：  第１の撚糸２１Ａのみ
（比較例３）
織布の組織：  ７／１，１／７  ＭＤ方向糸材多重織
ＭＤ方向糸材の配列形態：  第１の撚糸のみ
【００２７】
このようにして構成した実施例及び比較例を、図１０に示す装置を用いて試験した。
本装置は、一対のロールＲ１，Ｒ２により構成されている。そして、ロールＲ２は、一方の端部を軸として、移動可能に構成されている。
この装置に織布を掛け渡し、１００ｍ／分で走行させた。そして、織布の走行に片寄りが発生した場合、ロールＲ２を移動して調整した。この際、ロールＲ２の基準位置と、移動位置との距離Ｌを計測した。
そして、この距離Ｌが４０ｍｍ以内であれば良として「○」、４０ｍｍ以上であれば不良として「×」の評価を、それぞれ与えた。
【００２８】
この結果を表１に示す。
【表１】
2004256970.tif 000003
表１から明らかな通り、本発明のプレスフェルトは、優れた走行安定性を発揮することが確認された。
【発明の効果】
本発明によれば、ＭＤ方向糸材を撚糸で構成することで、圧縮回復性の向上を図ることができる。
また、その撚糸を、一方の方向に撚りが与えられた第１の撚糸と、第１の撚糸とは逆方向の撚りが与えられた第２の撚糸とで構成することで、フェルトがＭＤ方向に移動するときのＣＭＤ方向へのずれを防ぎ、走行姿勢を安定させることができるという効果を奏する。
【図面の簡単な説明】
【図１】本発明のプレスフェルトの断面図
【図２】基体の構成方法の説明図。
【図３】基体の構成方法の説明図。
【図４】撚糸の具体例の説明図。
【図５】撚糸の具体例の説明図。
【図６】撚糸の配置方法の説明図。
【図７】撚糸の配置方法の説明図。
【図８】撚糸の配置方法の説明図。
【図９】撚糸の配置方法の説明図。
【図１０】実施例及び比較例のプレスフェルトについて、走行安定性を評価するための装置の概要図。
【図１１】従来のプレスフェルトの断面図。
【図１２】撚糸に発生する推進ベクトルの説明図。
【符号の説明】
１０：プレスフェルト
２０：基体
２１：ＭＤ方向糸材
２１Ａ：第１の撚糸
２１Ｂ：第２の撚糸
２２：ＣＭＤ方向糸材
３０：ステープルファイバー
【図１】
2004256970.tif 000004
【図２】
2004256970.tif 000005
【図３】
2004256970.tif 000006
【図４】
2004256970.tif 000007
【図５】
2004256970.tif 000008
【図６】
2004256970.tif 000009
【図７】
2004256970.tif 000010
【図８】
2004256970.tif 000011
【図９】
2004256970.tif 000012
【図１０】
2004256970.tif 000013
【図１１】
2004256970.tif 000014
【図１２】
2004256970.tif 000015